(57)【要約】【課題】耐衝撃性に優れ、かつ、所望のポーズを実現することが可能であるとともに自立させることが可能な、足部を有するぬいぐるみを提供する。【解決手段】本考案の一態様に係るぬいぐるみ１０は、足部１０ｄを有し、該足部の内部に充填される第１充填物１８と、前記足部から離れた前記ぬいぐるみの部分内に充填される第２充填物１６とを含む。ぬいぐるみの内部での充填状態において、第２充填物は第１充填物よりも単位体積当たりの重量が軽い。第１充填物は、複数の粒状物を含み、足部に続く胴体部１０ｂの一部にまで充填されている。【選択図】図２
0003219395.tif 000002
【実用新案登録請求の範囲】
【請求項１】
足部を有するぬいぐるみであって、
前記足部の内部に充填される第１充填物と、
前記足部から離れた前記ぬいぐるみの部分内に充填される第２充填物であって、前記ぬいぐるみの内部での充填状態において、該第２充填物は前記第１充填物よりも単位体積当たりの重量が軽い、第２充填物と
を含み、
前記第１充填物は、複数の粒状物を含み、前記足部に続く胴体部の一部にまで充填されている、
ぬいぐるみ。
【請求項２】
前記足部の底面に対応する位置に板状体が更に配設されている、請求項１に記載のぬいぐるみ。
【請求項３】
前記ぬいぐるみは２つの足部を備え、
該２つの足部の各々に、前記第１充填物が充填されている、
請求項１又は２に記載のぬいぐるみ。
【考案の詳細な説明】
【技術分野】
【０００１】
本考案は、足部を有するぬいぐるみに関し、特に所望のポーズを実現することが可能であるとともに自立させることが可能なぬいぐるみに関する。
【背景技術】
【０００２】
ぬいぐるみは、例えばキャラクターや動物等を模った外観を有し、一般に袋状の布地の内部に中綿材つまり綿材を充填して作製されている。そのため、このようなぬいぐるみは、遊戯者が自分の好みに応じてそのポーズを変えることができるが、その変えたままの状態に維持することは困難であった。例えば、２つの足部を有するぬいぐるみにおいては、足部で立ったままの状態に自立させることは困難であった。
【０００３】
特許文献１は、２つの足部を有するぬいぐるみにおいて、所望のポーズを実現しつつ２足で自立可能にする技術を開示する。特許文献１では、具体的には、中綿材が充填される袋状のぬいぐるみ本体の内部に骨組みが内蔵され、かつ、ぬいぐるみ本体の足部の底面に対応する位置に板状体が配設される。その骨組みは、変形自在となるように、節と節とを互いに連結させることで構成されていて、ぬいぐるみ本体の胴体部と、頭部と、腕部と、足部とのそれぞれに対して伸長されている。
【先行技術文献】
【特許文献】
【０００４】
【特許文献１】実用新案登録第３１８５４４４号公報
【考案の概要】
【考案が解決しようとする課題】
【０００５】
しかし、特許文献１に記載の上記技術では、節と節との連結部でのその可動域内でしか骨組みは変形することができず、ぬいぐるみとしての柔軟性が損なわれ、結果として所望のポーズが制限される。また、その骨組みは、例えば骨組みの節と節との連結部が損傷した場合、その機能を発揮し得なくなる可能性が高い。これは、例えば遊戯者が幼児などであり、ぬいぐるみの扱いが粗雑な場合に、問題になり得る。
【０００６】
そこで本考案は、耐衝撃性に優れ、かつ、所望のポーズを実現することが可能であるとともに自立させることが可能な、足部を有するぬいぐるみを提供することを目的とする。
【課題を解決するための手段】
【０００７】
上記目的を達成するために、本考案の一態様は、
足部を有するぬいぐるみであって、
前記足部の内部に充填される第１充填物と、
前記足部から離れた前記ぬいぐるみの部分内に充填される第２充填物であって、前記ぬいぐるみの内部での充填状態において、該第２充填物は前記第１充填物よりも単位体積当たりの重量が軽い、第２充填物と
を含み、
前記第１充填物は、複数の粒状物を含み、前記足部に続く胴体部の一部にまで充填されている、
ぬいぐるみ
を提供する。
【０００８】
好ましくは、前記足部の底面に対応する位置に板状体が更に配設されている。
【０００９】
好ましくは、前記ぬいぐるみが２つの足部を備える場合、該２つの足部の各々に、前記第１充填物が充填されている。
【考案の効果】
【００１０】
本考案の一態様に係る上記ぬいぐるみによれば、上記構成を備えるので、耐衝撃性に優れ、かつ、所望のポーズを実現することが可能であるとともに自立させることが可能になる。
【図面の簡単な説明】
【００１１】
【図１】本考案の一実施形態に係るぬいぐるみの立位状態での正面図である。
【図２】図１のぬいぐるみの内部構造を示す図である。
【図３】図１のぬいぐるみの内部構造のうち、足部の先端側の拡大図である。
【図４】図１のぬいぐるみの変形例としてのぬいぐるみの内部構造を示す図である。
【考案を実施するための形態】
【００１２】
以下、本考案に係る実施形態を添付図に基づいて説明する。同一の部品（又は構成）には同一の符号を付してあり、それらの名称及び機能も同じである。したがって、それらについての詳細な説明は繰返さない。
【００１３】
図１は、本考案の一実施形態に係るぬいぐるみ１０の外観形状を示す図である。図２は、図１の状態のぬいぐるみ１０の内部構造を示す図である。図３は、図１及び図２の状態のぬいぐるみ１０の足部の先端側の側方からの図であり、その内部構造を示す図である。ぬいぐるみ１０は、動物を模した外観形状を有し、頭部１０ａと、該頭部１０ａに直接的につながる胴体部１０ｂと、該胴体部１０ｂの両側に直接的に設けられる２つの腕部１０ｃと、同胴体部１０ｂに直接的につながる２つの足部１０ｄとを有する。図１及び図２では、ぬいぐるみ１０が２つの足部１０ｄで起立している状態を示す。
【００１４】
ぬいぐるみ１０は、動物の形状に応じて裁断した複数のパーツ布地同士を縫い合わせて袋状にされた布地１２の内部に充填物１４が充填されることで作製されている。布地１２は、綿素材、化学繊維素材、皮素材などの種々の素材の１つ又は複数の組み合わせとして構成可能であり、ここでは化学繊維素材で構成されている。
【００１５】
充填物１４としては、一般に使用されている材料又は物質を用いることができるが、ここでは、綿材１６と、粒状物１８とが用いられている。綿材１６は、天然の綿など種々の綿材であり得、ここではポリエステル綿である。粒状物１８としては、樹脂性粒、穀物、ガラス玉などを用いることができるが、ここではポリプロピレン樹脂の顆粒状の粒が用いられる。したがって、図１などの状態つまりぬいぐるみ１０の内部での充填状態において、綿材１６は、粒状物１８よりも単位体積当たりの重量が軽い。なお、綿材１６が第２充填物に対応し、粒状物１８が第１充填物に対応する。第１充填物及び第２充填物のそれぞれとして、ぬいぐるみの内部の充填状態において該第２充填物は該第１充填物よりも単位体積当たりの重量が軽いという関係を満たす種々の材料又は物質を用いることができる。例えば、第２充填物として綿材１６の代わりに、マイクロビーズ（発泡ビーズ）が用いられてもよい。
【００１６】
更に、ぬいぐるみ１０では、２つの足部１０ｄの各々の底面に対応する位置に板状体２０が更に配設されている。板状体２０は、足底型の合った形状を有する。板状体２０は、紙材、木材、合成樹脂、シリコン、金属など種々の材料又は物質で作成可能であるが、ここでは紙製の薄い板部材として構成されている。そして、板状体２０は、ぬいぐるみ１０の足部の底面に直接的に張り付けられたり、縫い付けられたりすることが可能であるが、ここでは足部１０ｄの内部に挿入配置されている。
【００１７】
次に、ぬいぐるみ１０の内部への、充填物１４の充填及び板状体２０の配設について説明する。
【００１８】
まず、足部１０ｄ及びそれに続く胴体部１０ｂの一部を少なくとも袋状にした状態に布地１２を作製して用意する。この用意した布地１２では、胴体部１０ｂの上側つまり頭部１０ａ側が開いており、そこから充填物１４及び板状体２０をその内部に挿入可能になっている。なお、この用意した布地１２は、頭部１０ａなどがそれらを挿入可能に開いていてもよい。
【００１９】
まず、足部１０ｄの最も奥側に、つまり底面に対応する位置に、板状体２０が挿入されて配置される。これにより、足部１０ｄの底部が略平らな形状にされる。これは足部１０ｄの各々に対して行われる（図２参照）。
【００２０】
そして、板状体２０が配置された状態で、足部１０ｄの内部に、第１充填物である粒状物１８が充填される（図２及び図３参照）。この粒状物１８の充填は、ある程度以上に、布地１２が張りのある状態になるまで、行われるとよいが、ある程度自由にぬいぐるみ１０のポーズを変えられる程度であるとよい。そして、ここでは足部１０ｄの各々に対して、粒状物１８はしっかりと充填される。
【００２１】
そして、粒状物１８の充填は、足部１０ｄの内部のみならず、それにつづく胴体部１０ｂの一部つまり足部側の部分（腰部又は腹部）の内部にまで行われる（図２参照）。これにより、ぬいぐるみ１０の足部の先端側から腰部にかけて粒状物１８がしっかりと充填された状態になる。なお、この粒状物１８の充填量は、ぬいぐるみ１０の自立を可能にする最低量とされるとよい。したがって、粒状物１８の充填は、ぬいぐるみ１０の立位姿勢で行われるとよい。
【００２２】
粒状物１８の充填の後、ぬいぐるみ１０の残りの内部、つまり、胴体部１０ｂの残りの部分や、腕部１０ｃ、頭部１０ａの内部に綿材１６が充填される。この綿材１６の充填は、ある程度以上に、布地１２が張りのある状態になるまで、行われるとよい。また、この綿材１６の充填により、粒状物１８や板状体２０が上記した所望の充填位置に維持されるようになる。なお、この綿材１６の充填量は、ぬいぐるみ１０のポーズ可変の自由度をある程度以上に維持するように調節されるとよい。
【００２３】
最後に、布地１２の開口部が完全に縫い合わされる等されて、ぬいぐるみ１０が完成する。
【００２４】
このように完成したぬいぐるみ１０においては、以下の作用効果が奏される。まず、布地１２の内部には、足部１０ｄに板状体２０が配置されている以外は、綿材１６及び粒状物１８が充填されているだけである。したがって、遊戯者は、例えば特許文献１に開示のぬいぐるみに比べて、より自由に所望のポーズにぬいぐるみ１０のポーズを変えることができる。
【００２５】
また、ぬいぐるみ１０の布地１２の内部には、足部１０ｄから胴体部の一部にかけて粒状物１８が充填され、その残りの部分に綿材１６が充填されている。そして、綿材１６は粒状物１８よりも単位体積当たりの重量が軽い。したがって、ぬいぐるみ１０の重心が足部１０ｄ又はその近傍に位置し、図１の立位姿勢での安定感が増す。また、粒状物１８が胴体部１０ｂの一部にまで充填されているので、図１の立位姿勢で足部１０ｄと胴体部１０ｂの一体感が増し、足部１０ｄの上側に胴体部１０ｂが安定的に載置された状態になる。したがって、例えば図１の立位姿勢で、ぬいぐるみを安定的に自立させることが可能になる。このように、本実施形態のぬいぐるみ１０の上記構成によれば、特許文献１の技術のように骨組みを入れることなく、ぬいぐるみ１０の自立を実現することができる。
【００２６】
更に、足部１０ｄの底面に対応する位置に板状体２０が配置されているので、ぬいぐるみ１０の立位姿勢をより安定的に保つことができる。これにより、ぬいぐるみ１０の自立性能をより高めることが可能になる。
【００２７】
また、ぬいぐるみ１０の布地１２の内部には、主として綿材１６や粒状物１８が充填されているに過ぎない。したがって、乱暴に扱っても、ぬいぐるみ１０は破損し難く、耐衝撃性に強い。
【００２８】
以上、本考案の代表的な実施形態及び変形例について説明したが、本考案種々の変更が可能である。本願の実用新案登録請求の範囲によって定義される本考案の精神及び範囲から逸脱しない限り、種々の置換、変更が可能である。
【００２９】
例えば、上記実施形態では、足部１０ｄに板状体２０を配設したが、板状体２０を設ける代わりに、足部１０ｄの底面に相当する位置又は足部１０ｄの先端側を樹脂などで作製してもよい。また、上記ぬいぐるみ１０は、頭部１０ａ及び腕部１０ｃを有したが、本考案に係るぬいぐるみはこれらを有することに限定されない。例えば、ライオンなどの動物を模した、４本の足部を有するぬいぐるみであってもよい。この場合、４本の足部の全てに粒状物１８を充填してもよく、それらのうちの２本の足部に関してのみ粒状物１８を充填してもよい。
【００３０】
また、本考案は、第１充填物と第２充填物とが混在されて用いられることを排除するものではない。例えば、足部１０ｄに充填される第１充填物に、第２充填物が混合されてもよい。
【００３１】
また、上記ぬいぐるみ１０では、綿材１６で粒状物１８などを保持するようにしたが、粒状物１８のぬいぐるみ１０の内部での移動をよりしっかりと防ぐために、第１充填物である粒状物１８の充填領域（第１充填領域）Ｓ１と、第２充填物である綿材１６の充填領域（第２充填領域）Ｓ２とを仕切る仕切部が設けられてもよい。図４に、粒状物１８の充填領域Ｓ１と、綿材１６の充填領域Ｓ２とを仕切る仕切部１２ａが設けられたぬいぐるみ１０´を示す。ぬいぐるみ１０´では、その作製過程で、粒状物１８の充填後、仕切部１２ａが布地１２の内側に縫製等により取り付けられる。仕切部１２ａは、例えば布地とされても、ビニール等の伸縮性部材とされてもよい。なお、本明細書において、縫製としたところは、ファスナーなどで代替されてもよい。
【符号の説明】
【００３２】
１０  ぬいぐるみ
１０ａ  頭部
１０ｂ  胴体部
１０ｃ  腕部
１０ｄ  足部
１２  布地
１４  充填物
１６  綿材
１８  粒状物
２０  板状体
【図１】
0003219395.tif 000003
【図２】
0003219395.tif 000004
【図３】
0003219395.tif 000005
【図４】
0003219395.tif 000006